(57)【特許請求の範囲】
【請求項１】
第１の礁体と、
第１のアンカーと、
前記第１のアンカーから延び前記第１の礁体に連結する第１の索と、
第２の礁体と、
前記第１の礁体と前記第１の索との少なくとも一方から延び前記第２の礁体に連結する第２の索と、
第２のアンカーと、
前記第２のアンカーから延び前記第２の礁体と前記第２の索との少なくとも一方に連結する第３の索と、
を備え、
前記第１の索の周回りに設けられるリング体を更に備え、
前記第２の索は、前記リング体から延び
る浮魚礁装置。
【請求項２】
前記第２の索は、複数あり、
前記第２の礁体は、前記第２の索のそれぞれに設けられる、
請求項１記載の浮魚礁装置。
【請求項３】
前記第１の索の途中に取り付けられる第３の礁体を更に備える、
請求項１又は２記載の浮魚礁装置。
【発明の詳細な説明】
【技術分野】
【０００１】
本発明は、海洋に設置される浮魚礁装置に関する。
【背景技術】
【０００２】
魚類は、平坦な川底、海底には住み着きにくく、天敵から身を守るために川底、海底の地形、岩場、サンゴ礁などの魚礁周辺に住み着くという習性を有する。この習性を利用し、人為的に人工魚礁を水底に設置し、魚類の格好の住処（巣）とすることが行われている。人工魚礁は、コンクリートや石、木材、間伐材、水産業で廃棄される貝殻、繊維強化プラスチック（ＦＲＰ）等を組み合わせて形成される。
【０００３】
近年では、特許文献１に記載の中層型浮魚礁のような、海面や海面下の中層に礁体を浮遊させて集魚を行う人工的な浮魚礁装置も登場している。浮魚礁装置は、礁体とアンカーとロープとで構成される。礁体は、一例として、漁網、ロープ、ＦＲＰ、プラスチック鋼材、アルミニウム等の素材で構成され、水深数百メートル〜数千メートルの水深海域の海底に設置したアンカーから延びるロープに一点係留させて海面下２０ｍ〜３００ｍ程度の水深位置に位置付けられる。このように設置された礁体には、沖を回遊通過するカツオ、マグロ、ブリ等の高級魚群が集魚しやすい。
【先行技術文献】
【特許文献】
【０００４】
【特許文献１】登録実用新案第３１０１４３３号公報
【発明の概要】
【発明が解決しようとする課題】
【０００５】
一般に、海中や海面付近に礁体やロープ等の物体が位置付けられると、この物体の周囲に魚類が集まる。発明者は、このように位置付けられた礁体から半径１００ｍ〜１ｋｍぐらいの領域に魚類が集まるという知見を得ている。そこで、発明者は、礁体を平面的に並べて配置すれば魚類が一層多く集まることが期待できると考えた。
【０００６】
この点、特許文献１に記載の中層型浮魚礁のような浮魚礁装置は、確かに、海洋に安定した漁場を形成する上で有効なものである。しかしながら、海洋に一の浮魚礁装置を設置すると、礁体はアンカーを中心に振れ回る。このため、礁体が浮遊して動く範囲（例えば、直径１マイルの円内）に別の浮魚礁装置を設置することができない。結果として、特許文献１に記載の中層型浮魚礁は、相当距離を設けて隔離して海洋に設置しなければならず、面的に広がる広域な漁場を形成することには適さない。
【０００７】
本発明の目的は、水中に浮遊する礁体を用いて水平方向に広がる広域な漁場を形成することである。
【課題を解決するための手段】
【０００８】
本発明の浮魚礁装置は、
第１の礁体と、第１のアンカーと、前記第１のアンカーから延び前記第１の礁体に連結する第１の索と、第２の礁体と、前記第１の礁体と前記第１の索との少なくとも一方から延び前記第２の礁体に連結する第２の索と、第２のアンカーと、前記第２のアンカーから延び前記第２の礁体と前記第２の索との少なくとも一方に連結する第３の索と、を備え、前記第１の索の周回りに設けられるリング体を更に備え、前記第２の索は、前記リング体から延びる。
【発明の効果】
【０００９】
本発明によれば、第２の礁体は、浮遊して動く範囲を第２の索及び第３の索によって拘束させた状態で第１の礁体の周りに配置することができ、したがって、水中に浮遊する礁体を用いて水平方向に広がる広域な漁場を形成することができる。
【図面の簡単な説明】
【００１０】
【図１】浮魚礁装置の側面図である。
【図２】第１の索に対する第１の礁体の取り付け方を示す斜視図である。
【図３】第１の索に対する第１の礁体の別の取り付け方を示す斜視図である。
【図４】（ａ）及び（ｂ）は、浮魚礁装置の設置方法を示す側面図である。
【図５】（ａ）ないし（ｃ）は、浮魚礁装置の拡張方法を示す側面図である。
【図６】拡張された浮魚礁装置を示す模式的な平面図である。
【発明を実施するための形態】
【００１１】
実施の一形態を、図１ないし図６に基づいて説明する。図１は、浮魚礁装置１０１の側面図である。浮魚礁装置１０１は、魚類Ｆが礁体に集まるという習性を利用して魚類Ｆを集めるためのもので、水平方向に広がった状態で所望の海域に設置され、第１のアンカー１０３及び第２のアンカー１１３（いずれも後述）によって係留される。
【００１２】
浮魚礁装置１０１は、第１の礁体１０２と、第１のアンカー１０３と、第１の索１０４とを備える。
【００１３】
第１の礁体１０２は、繊維強化プラスチック（ＦＲＰ）やロープ、鋼材、アルミニウム等で長円筒状に形成された蛇籠１０２ａと、この蛇籠１０２ａ内に収納される収納体（図示せず）と、蛇籠１０２ａに浮力を与えるフロート体１０２ｂを有する。さらに第１の礁体１０２に浮力を与えるために、この第１の礁体１０２に別の浮力体（図示せず）を付加してもよい。この第１の礁体１０２は、海底ＢＳから離反した状態で、海中ＩＳに位置付けられる。
【００１４】
第１のアンカー１０３には、一例として、コンクリートブロックが用いられる重量式のものが採用される。この第１のアンカー１０３は、設置水深に応じた重量及び構造を有する。第１のアンカー１０３は、別の一例として、把駐力式のものであっても良い。さらに別の一例として、第１のアンカー１０３は、チェーンであっても良い。この第１のアンカー１０３は、海底ＢＳに載置される。
【００１５】
第１の索１０４は、直径数センチ〜数十センチのロープ体であり、第１のアンカー１０３から延びて第１の礁体１０２に連結している。詳細には、第１の索１０４の一例は、ポリエチレン等の合成繊維で作られたロープである。第１の索１０４は、主索１０４ａと、副索１０４ｂとを含む。主索１０４ａは、シャンク１０５によって第１のアンカー１０３に連結される。副索１０４ｂは、主索１０４ａから複数本に枝分かれするよう延び第１の礁体１０２の下部に連結する。主索１０４ａと副索１０４ｂとを含む第１の索１０４の全長は、第１の礁体１０２を海中ＩＳでの所定の水深位置（例えば、海面ＳＳから約１００〜２００メートルの水深位置）に位置づけるよう設定される。主索１０４ａの途中には、引掛部１０４ｃが複数箇所設けられる。引掛部１０４ｃは、主索１０４ａから延び、ループ状をなしている。
【００１６】
浮魚礁装置１０１は、さらに、第２の礁体１１１と、第２の索１１２と、第２のアンカー１１３と、第３の索１１４を備える。
【００１７】
第２の礁体１１１は、海中ＩＳで、第１の礁体１０２に対し水平方向に離間して配置される。第２の礁体１１１は、第１の礁体１０２と同じであってもよいし、第１の礁体１０２よりも小型に形成されていても良い。
【００１８】
第２の索１１２は、第１の索１０４と同じもしくはこれよりも細いロープ体である。第２の索１１２の長さは、第１の索１０４の長さと同等以上であることが望ましい。第２の索１１２のさらに望ましい長さは、第１の索１０４の長さの約１．５倍である。
【００１９】
図２は、第１の索１０４に対する第１の礁体１０２の取り付け方を示す斜視図である。一例として、図２に示すように、第２の索１１２は、第１の礁体１０２から複数本延びている。この場合、主索１０４ａの周回りには、リング体１２３が設けられる。リング体１２３は、直径数十センチ〜１メートル程度をなす。このリング体１２３は、一例として、繊維ロープ１２３ａにリング状に曲げて形成される。より詳細には、第２の索１１２の端部に形成される輪状部１１２ａに繊維ロープ１２３ａを通し、この繊維ロープ１２３ａをリング状に曲げ、繊維ロープ１２３ａの両端部を連結部材１２３ｂによって連結して形成される。
【００２０】
図３は、第１の索１０４に対する第１の礁体１０２の別の取り付け方を示す斜視図である。別の一例として、図３に示すように、第２の索１１２は、第１の索１０４から複数本延びている。この場合、第２の索１１２の輪状部１１２ａに副索１０４ｂを通し、主索１０４ａの上端部分で副索１０４ｂを束ねる。
【００２１】
さらに別の一例として、第２の索１１２は、第１の礁体１０２を構成する蛇籠１０２ａに取り付けられていても良い。
【００２２】
図１に戻る。第２の礁体１１１は、上述の取付構造によって第１の礁体１０２と第１の索１０４との少なくとも一方に取り付けられそこから延びる複数の第２の索１１２のそれぞれに取り付けられる。ここで、第２の索１１２は、これ自身の浮力によって、海面ＳＳに向かって動こうとする。このため、海底ＢＳに向けてリング体１２３が落下することはない。また、リング体１２３は、上方に移動しても、副索１０４ｂや第１の礁体１０２に阻止される。
【００２３】
第２のアンカー１１３は、第１のアンカー１０３と同様に形成される。第２のアンカー１１３の重さは、第１のアンカー１０３の重さと同等もしくはこれよりも小さい。第１のアンカー１０３から離間して海底ＢＳに配置される。
【００２４】
第３の索１１４は、第１の索１０４と同じ程度の長さのロープ体である。第３の索１１４の一方の端部は、シャンク１１５によって第２のアンカー１１３に連結される。第３の索１１４の他方の端部は、第２の礁体１１１と第２の索１１２との少なくとも一方に連結される。一例として、第３の索１１４の端部をリング状にしてそこに第２の索１１２を通過させる。別の一例として、第２の索１１２の周回りにリング体（図示せず）を設けこのリング体に第３の索１１４を取り付けても良い。さらに別の一例として、第３の索１１４を第２の礁体１１１に直接取り付けても良い。さらに別の一例として、第２の礁体１１１から下方に延びる副索（図示せず）に第３の索１１４を取り付けても良い。
【００２５】
浮魚礁装置１０１は、さらに、第３の礁体１２１を備える。第３の礁体１２１は、引掛部１０４ｃに引っ掛けられて副索１０４ｂに取り付けられ、海中ＩＳで第１の礁体１０２に対し下方向に位置する。第２の礁体１１１は、第１の礁体１０２と同じであってもよいし、第１の礁体１０２よりも小型に形成されていても良い。
【００２６】
図４（ａ）及び図４（ｂ）は、浮魚礁装置１０１の設置方法を示す側面図である。なお、図４（ａ）及び図４（ｂ）では、第３の礁体１２１は省略されている。上記のように構成される浮魚礁装置１０１は、以下のようにして設置される。まず、一の作業船１３１に浮魚礁装置１０１を搭載し、この作業船１３１を含む複数の作業船群１３２を所望の海域に位置付ける。続いて、作業船１３１から、第１のアンカー１０３、第３の礁体１２１、第１の礁体１０２をこの順に海面ＳＳに投下する。ここで重要なのは、第１のアンカー１０３等は、リング体１２３を第１の索１０４に取り付けておいたり副索１０４ｂに第２の索１１２を取り付けておいたりした状態のままで海面ＳＳに投下される、ということである。これにより、第１のアンカー１０３は、落下して海底ＢＳに到達し、第１の礁体１０２及び第３の礁体１２１は海中ＩＳに位置付けられる。そして、第２の索１１２は、海中ＩＳに位置する第１の礁体１０２から投下されずに海面ＳＳ付近の第２の礁体１１１に向けて延びることになる。
【００２７】
続いて、第２の礁体１１１と第２のアンカー１１３とを一つずつ個々の作業船１３１に移し替える。続いて、個々の作業船１３１から第２の礁体１１１を海面ＳＳに投下し、その直後に第１の礁体１０２から遠ざかるように個々の作業船１３１を放射状に動かす（図４（ａ））。
【００２８】
続いて、個々の作業船１３１から、第２のアンカー１１３を海面ＳＳに投下する。第２のアンカー１１３は、落下して海底ＢＳに到達する（図４（ｂ））。これにより、第２のアンカー１１３は、平面視で見て第１のアンカー１０３を取り囲むように円状に海底ＢＳに並ぶ。また、第２の礁体１１１は、第２の索１１２と第３の索１１４とに引っ張られて海中ＩＳに位置付けられ、平面視において第１の礁体１０２を取り囲むように円状に並ぶ。
【００２９】
上記のようにして浮魚礁装置１０１が設置された海域では、魚類Ｆ（図１参照）が第１の礁体１０２、第２の礁体１１１及び第３の礁体１２１に集まる。また、魚類Ｆは、第１の索１０４、第２の索１１２及び第３の索１１４にも集まる。つまり、浮魚礁装置１０１が設置された海域は、広範に広がる良好な漁場となる。このとき、第１の礁体１０２は、この漁場の中心となる。
【００３０】
図５（ａ）ないし図５（ｃ）は、浮魚礁装置１０１の拡張方法を示す側面図である。浮魚礁装置１０１では、別個に第４の礁体１３３を取り付けて、浮魚礁装置１０１により形成される漁場をさらに拡張することができる。浮魚礁装置１０１の拡張方法について、図５（ａ）ないし図５（ｃ）に基づいて説明する。
【００３１】
まず、作業索１３４の先端に鉤爪１３５を取り付け、作業船１３１を動かしてこの作業索１３４を引っ張って鉤爪１３５を第２の索１１２に引っ掛ける（図５（ａ））。第２の索１１２は、水平方向に延びているため、鉤爪１３５が第２の索１１２を引っ掛けることは容易である。
【００３２】
続いて、作業船１３１を動かし、第２の索１１２を海面ＳＳに向けて引き上げる（図５（ｂ））。これにより、第２の礁体１１１は海面ＳＳに向けて上昇する。このとき、第２の礁体１１１から延び第３の索１１４に取り付けられている第２のアンカー１１３（図４（ｂ）参照）は、第１の索１０４や第１のアンカー１０３に近づく。また、第２の索１１２がリング体１２３から延びている場合、リング体１２３は、第１の索１０４に沿って動き海面ＳＳに近づく。
【００３３】
続いて、海面ＳＳ付近まで引き上げられた第２の礁体１１１の付近に別の作業船１３１Ａを位置付ける（図５（ｃ））。作業船１３１Ａには、リング体１３６と第４の礁体１３３とこれらをつなぐ第４の索１３７とを予め搭載しておく。この第４の礁体１３３からは、第５の索１３８が延びている。そして、第５の索１３８には、第３のアンカー１３９が取り付けられている。作業船１３１Ａに乗船している作業員（図示せず）は、第２の礁体１１１から下方に延びる第３の索１１４にリング体１３６を取り付ける作業を行う。この作業は、例えば、作業員がダイバーとして海中ＩＳに潜って行う。また、別の一例として、作業船１３１Ａに装備されたロボット（図示せず）を操作して行う。
【００３４】
続いて、作業船１３１Ａから第４の礁体１３３を海面ＳＳに投下し、その直後に第１の礁体１０２から遠ざかるように作業船１３１Ａを放射状に動かし、その後に第３のアンカー１３９を海面ＳＳに投下する（図５（ｃ））。これにより、第３のアンカー１３９は、落下して海底ＢＳに到達する。また、第４の礁体１３３は、第４の索１３７と第５の索１３８とに引っ張られて海中ＩＳに位置付けられ、平面視において第１の礁体１０２及び第２の礁体１１１を取り囲むように円状に並ぶ。
【００３５】
図６は、拡張された浮魚礁装置１０１を示す模式的な平面図である。浮魚礁装置１０１にリング体１３６（図５（ｃ）参照）と第４の索１３７と第４の礁体１３３とが取り付けられる前、浮魚礁装置１０１が設置された海域では、第１の礁体１０２、第２の礁体１１１、第３の礁体１２１（図１参照）等に魚類Ｆ（図１参照）が集まる。すなわち、浮魚礁装置１０１が設置された海域には、平面視において第１の礁体１０２及び第２の礁体１１１を取り囲むように第１の漁場Ｌ１が形成される。そして、図５（ａ）〜図５（ｃ）に基づいて説明した拡張方法によって浮魚礁装置１０１にリング体１３６（図５（ｃ）参照）と第４の索１３７と第４の礁体１３３とが取り付けられると、第４の礁体１３３にも魚類Ｆが集まって、第１の漁場Ｌ１よりも広い第２の漁場Ｌ２が形成される。
【００３６】
なお、図６に符号ＡＤＤ１で示すように、図５（ａ）〜図５（ｃ）に基づいて説明した拡張方法において、第２の礁体１１１から延びる第３の索１１４（図５（ｃ）参照）に対して第４の索１３７を複数取り付けてもよい。この場合、第４の索１３７のそれぞれに取り付けられた第４の礁体１３３は、他の第４の礁体１３３及び第２の礁体１１１のいずれに対しても離間させて位置付けることが望ましい。
【００３７】
また、図６に符号ＡＤＤ２で示すように、図５（ａ）〜図５（ｃ）に基づいて説明した拡張方法を応用し、海中ＩＳで水平方向に延びる第４の索１３７を鉤爪１３５（図５（ａ）、図５（ｂ）等参照）で引っ掛けて第４の礁体１３３を海面ＳＳに向けて引き上げ、第４の礁体１３３から延びる第５の索１３８（図５（ｃ）参照）に新たな索、礁体及びアンカーを取り付けてもよい。この場合、第２の漁場Ｌ２よりもさらに広い漁場が形成される。
【００３８】
図５（ａ）、図５（ｂ）、図５（ｃ）及び図６を参照し、浮魚礁装置１０１の回収方法について説明する。環境対策の観点や省資源の観点から、耐用年数（一般に約１０年）を経過した礁体の撤去、回収が求められている。海中ＩＳや海底ＢＳに位置付けられた浮魚礁装置１０１の各部を回収する場合、まず、作業船１３１を動かして、第１の礁体１０２から最も離れて位置する礁体（例えば、第４の礁体１３３）の礁体から水平方向に延びる索（例えば、第４の索１３７）を鉤爪１３５で引っ掛け、この礁体（この場合、第４の礁体１３３）とこれに連結するアンカー（この場合、第３のアンカー１３９）とを海面ＳＳに向けて引き上げ回収する。続いて、この礁体（この場合、第４の礁体１３３）を連結するリング体（この場合、リング体１３６）を取り外す。このとき、リング体１３６は第３の索１１４に沿って移動自在となっているため、礁体とアンカーとリング体との回収が容易となる。このようにして、礁体を、第１の礁体１０２から離れた箇所に位置するものから順次回収し、最終的に第１の礁体１０２と第３の礁体１２１とを回収する。
【００３９】
このように、浮魚礁装置１０１によれば、所望の海域に第１の礁体１０２を配置し、この第１の礁体１０２の周囲に第２の礁体１１１を配置し、この第２の礁体１１１が浮遊して動く範囲を第２の索１１２及び第３の索１１４によって拘束させることができる。これにより、海中ＩＳに浮遊する礁体（第１の礁体１０２、第２の礁体１１１、第３の礁体１２１等）によって、水平方向に広がる広域な漁場が形成される。そして、浮魚礁装置１０１には海中ＩＳで水平方向に延びる索が含まれている。このため、第１の礁体１０２から広がるように新たな礁体（例えば、第４の礁体１３３）を浮魚礁装置１０１に取り付ける作業を小型な設備（作業船１３１等）によって容易に行うことができ、浮魚礁装置１０１を面的に広げて蜘蛛の巣状に広がる巨大なものとすることができる。また、浮魚礁装置１０１の回収作業も容易となる。
【００４０】
さらに、リング体１２３を第１の索１０４の周回りに位置づけてこのリング体１２３から第２の索１１２を延ばした場合、第２の索１１２が第１の索１０４に沿って動く。このため、浮魚礁装置１０１の拡張及び回収が容易となる。また、この場合、第２の索１１２がリング体１２３を介して第１の索１０４に取り付けられるので、第１の索１０４の構造が複雑にならない。
【００４１】
さらに、第１の索１０４の途中に第３の礁体１２１を取り付けた場合、漁場を水平方向のみならず鉛直方向にも展開させることができ、多種の魚類Ｆを集めることができる。
【００４２】
なお、第１の索１０４から延ばす第２の索１１２は、複数であっても単数であってもよい。単数である場合、漁場は直線状に展開される。
【符号の説明】
【００４３】
１０１    浮魚礁装置
１０２    第１の礁体
１０３    第１のアンカー
１０４    第１の索
１１１    第２の礁体
１１２    第２の索
１１３    第２のアンカー
１１４    第３の索
１２１    第３の礁体
１２３    リング体
【図１】
0005455836.tif 000002
【図２】
0005455836.tif 000003
【図３】
0005455836.tif 000004
【図４】
0005455836.tif 000005
【図５】
0005455836.tif 000006
【図６】
0005455836.tif 000007